(57)【要約】【課題】軽量かつコンパクトで移設が容易な荷取り構台およびその移設方法を提供する。【解決手段】建物躯体に近接配置した足場２を挿通して配置され、上下方向に移設可能な荷取り構台１０であって、一辺側１２ａが躯体下側４に接続し、他辺側１２ｂが躯体上側６から延びる索条１４を介して片持ち式に支持された軽量の水平床部１２から構成する。水平床部１２の一辺側１２ａの浮き上がりを防止する支持部材１６を一辺側１２ａと躯体上側６との間に架設する。【選択図】図１
2011252318.tif 000002
【特許請求の範囲】
【請求項１】
建物躯体に近接配置した足場を挿通して配置され、上下方向に移設可能な荷取り構台であって、一辺側が前記躯体下側に接続し、他辺側が前記躯体上側から延びる索条を介して片持ち式に支持された軽量の水平床部からなることを特徴とする荷取り構台。
【請求項２】
前記水平床部の一辺側の浮き上がりを防止する支持部材を前記一辺側と前記躯体上側との間に架設したことを特徴とする請求項１に記載の荷取り構台。
【請求項３】
前記水平床部を前記足場に回転可能に固定する構台回転用治具を設け、この構台回転用治具を支点として、前記水平床部の一辺側を上方に、他辺側を下方に回転変位可能にしたことを特徴とする請求項１または２に記載の荷取り構台。
【請求項４】
前記構台回転用治具は、溝型鋼と、前記溝型鋼のフランジ外面に固定されたコ字状の単管受けとからなり、前記水平床部の側縁に嵌合した前記溝型鋼をスライドして、前記単管受けを前記足場の建枠にクランプ留めしてある単管に嵌合させ、前記溝型鋼を前記水平床部の側縁にボルト固定して設けたことを特徴とする請求項３に記載の荷取り構台。
【請求項５】
請求項１または２に記載の荷取り構台を上下方向に移設する方法であって、
前記索条を緩め、前記水平床部を揚重機で吊り上げて上方または下方に移設することを特徴とする荷取り構台の移設方法。
【請求項６】
請求項３または４に記載の荷取り構台を上下方向に移設する方法であって、
前記構台回転用治具を介して前記水平床部の重量を前記足場に支持させつつ、前記索条を緩めて前記構台回転用治具を支点として前記水平床部を回転すると同時に、前記水平床部を前記索条とは別の索条に接続し、前記水平床部をこの別の索条を介して揚重機で吊り上げて上方または下方に移設することを特徴とする荷取り構台の移設方法。
【発明の詳細な説明】
【技術分野】
【０００１】
本発明は、建設現場などで用いられる荷取り構台およびその移設方法に関し、特に、中小工事に好適で移設容易な荷取り構台およびその移設方法に関する。
【背景技術】
【０００２】
従来、建物躯体に足場を近接仮設して、この足場に工事資材を取り込むための張り出しステージ（荷取り構台）を設置することが知られている（例えば、特許文献１参照）。
【先行技術文献】
【特許文献】
【０００３】
【特許文献１】特開平８−３０２９９１号公報
【発明の概要】
【発明が解決しようとする課題】
【０００４】
ところで、上記の従来の荷取り構台に関しては、以下に示すような問題点があった。
【０００５】
［サイズに関する問題点］
荷取り構台としてはいくつかの既製品が知られているが、いずれも資材搬入の効率を優先していることにより、構台の面積、重量ともに大型である。従って、足場計画時に同時に荷取り構台の設置計画を立案する必要があり、場合によっては仮設足場等をさらに仮設資材により補強する必要がある。
【０００６】
仮設エレベータ（ピアット）が設置できるスペースが許容できる場合は、その設置位置付近の仮設計画が重要となるが、外装材の取り込みでは階高分の長さが必要となり、中小工事ではこのサイズが納められない場合も多々あり得る。
【０００７】
［仮設計画時間（期間）に関する問題点］
中小工事においては、一般に工事計画に与えられる時間が短く、通常、躯体に関連する計画が優先し、荷取り構台に関連する仕上・設備の資材搬入計画まで、入念な計画を実施するのは困難な場合が多い。
【０００８】
［揚重機および盛替え時間に関する問題点］
大型工事ではタワークレーンが設置されているか、またはラフター、クローラー等の揚重機が常に現場内で稼働しているが、中小工事では必要な場合のみラフターを調達する場合が多々ある。荷取り構台の移設は、資材取込のタイミングに合わせ実施するため、短時間で盛替えが可能であることが必要となる。または、ラフターが無くても、仮設のウインチにより盛替え可能であることが望ましい。
【０００９】
［職種に関する問題点］
大型工事では同時期に複数の職種の作業者が作業を実施しているが、中小工事では延床面積が小さいこともあり、複数の職種の作業者が現場内に常駐するとは限らない。一般に荷取り構台は、仕上・設備資材を搬入するために設置されるが、これを実施するのは当該職種の作業者である。一方、荷取り構台の設置、盛替えは鳶工が実施するのが一般的であるが、中小工事でこの慣例に従うと、この設置、盛替えのためだけに鳶工を調達することが必要となり、コスト面から考えると合理的な計画とは言えない。
【００１０】
本発明は、上記に鑑みてなされたものであって、軽量かつコンパクトで移設が容易な荷取り構台およびその移設方法を提供することを目的とする。
【課題を解決するための手段】
【００１１】
上記した課題を解決し、目的を達成するために、本発明の請求項１に係る荷取り構台は、建物躯体に近接配置した足場を挿通して配置され、上下方向に移設可能な荷取り構台であって、一辺側が前記躯体下側に接続し、他辺側が前記躯体上側から延びる索条を介して片持ち式に支持された軽量の水平床部からなることを特徴とする。
【００１２】
また、本発明の請求項２に係る荷取り構台は、上述した請求項１において、前記水平床部の一辺側の浮き上がりを防止する支持部材を前記一辺側と前記躯体上側との間に架設したことを特徴とする。
【００１３】
また、本発明の請求項３に係る荷取り構台は、上述した請求項１または２において、前記水平床部を前記足場に回転可能に固定する構台回転用治具を設け、この構台回転用治具を支点として、前記水平床部の一辺側を上方に、他辺側を下方に回転変位可能にしたことを特徴とする。
【００１４】
また、本発明の請求項４に係る荷取り構台は、上述した請求項３において、前記構台回転用治具は、溝型鋼と、前記溝型鋼のフランジ外面に固定されたコ字状の単管受けとからなり、前記水平床部の側縁に嵌合した前記溝型鋼をスライドして、前記単管受けを前記足場の建枠にクランプ留めしてある単管に嵌合させ、前記溝型鋼を前記水平床部の側縁にボルト固定して設けたことを特徴とする。
【００１５】
また、本発明の請求項５に係る荷取り構台の移設方法は、上述した請求項１または２に記載の荷取り構台を上下方向に移設する方法であって、前記索条を緩め、前記水平床部を揚重機で吊り上げて上方または下方に移設することを特徴とする。
【００１６】
また、本発明の請求項６に係る荷取り構台の移設方法は、上述した請求項３または４に記載の荷取り構台を上下方向に移設する方法であって、前記構台回転用治具を介して前記水平床部の重量を前記足場に支持させつつ、前記索条を緩めて前記構台回転用治具を支点として前記水平床部を回転すると同時に、前記水平床部を前記索条とは別の索条に接続し、前記水平床部をこの別の索条を介して揚重機で吊り上げて上方または下方に移設することを特徴とする。
【発明の効果】
【００１７】
本発明に係る荷取り構台によれば、建物躯体に近接配置した足場を挿通して配置され、上下方向に移設可能な荷取り構台であって、一辺側が前記躯体下側に接続し、他辺側が前記躯体上側から延びる索条を介して片持ち式に支持された軽量の水平床部からなるので、軽量かつコンパクトでその移設は容易である。
【図面の簡単な説明】
【００１８】
【図１】図１は、本発明の実施例１に係る荷取り構台を示す側面図である。
【図２】図２は、本発明の実施例１に係る荷取り構台を示す正面図である。
【図３】図３は、実施例１の荷取り構台を上階に盛替える状況を示す図である。
【図４】図４は、本発明の実施例２に係る荷取り構台を示す側面図である。
【図５】図５は、構台回転用治具を示す詳細図である。
【図６】図６は、構台回転用治具の水平床部に嵌合した状況を示す図である。
【図７】図７は、単管に嵌合する直前の状況を示す図である。
【図８】図８は、図４のＡ部の部分拡大図である。
【図９】図９は、実施例２の荷取り構台を構台回転用治具の周りに回転した状況を示す図である。
【図１０】図１０は、実施例２の荷取り構台を上階に盛替える状況を示す図である。
【図１１】図１１は、実施例２の荷取り構台を上階に盛替える状況を示す図である。
【発明を実施するための形態】
【００１９】
以下に、本発明に係る荷取り構台およびその移設方法の実施例（実施例１、２）を図面に基づいて詳細に説明する。なお、この実施例によりこの発明が限定されるものではない。
【００２０】
［実施例１］
まず、本発明の実施例１について説明する。
図１および図２に示すように、本発明の実施例１に係る荷取り構台１０は、建物躯体に近接配置した枠組足場２を挿通して配置され、上下方向に移設可能な軽量の四角状の水平床部１２から構成されている。水平床部１２は、一辺側１２ａが躯体下階（躯体下側）のスラブ４に接続し、その反対側の他辺側１２ｂが躯体上階（躯体上側）のスラブ６から延びるワイヤ１４（索条）を介して片持ち式に支持されている。
【００２１】
水平床部１２は、四角状の外形を有する平面骨組みからなり、その上面には足場板１８が設けてある。また、水平床部１２の側縁の上方には、単管で組み立てられた手摺２０が設けてある。
【００２２】
ワイヤ１４の一端は、躯体上側のスラブ６のＨ型鋼８にクランプ留めしてあり、他端は、水平床部１２の他辺側１２ｂ寄りの側縁に設けた吊り孔部２６に接続してある。
【００２３】
水平床部１２の一辺側１２ａの下面は、スラブ４上面に当接している。また、一辺側１２ａの端面は、スラブ４上面にアンカー２２で固定されたアングル２４に当接しており、建物躯体側への水平移動が阻止されている。
【００２４】
さらに、一辺側１２ａの上面と躯体上側のスラブ６のＨ型鋼８の下面との間に、パイプサポート１６（支持部材）を架設しており、水平床部１２の一辺側１２ａの浮き上がりを防止してある。
【００２５】
水平床部１２の幅寸法は、１．８ｍ以下の幅寸法からなる枠組足場２の建枠に挿通可能な外法寸法で構成してある。このため、水平床部１２は、枠組足場２のブレース２ａおよび床付布枠２ｂを一時的に外すことにより、任意の位置に設置可能である。
【００２６】
水平床部１２の重量は、ウインチなどの小型の揚重機で揚重可能な０．５トン程度の重量で構成してある。このように、水平床部１２が比較的軽量で設置・盛替えが容易であれば、鳶工などの専門技能工の手によらずとも仕上げ工または設備工らによって盛替えが可能である。
【００２７】
ところで、枠組足場２の補強（スプライスプレートの挿入なども含む）を不要とするためには、資材搬入時の総重量（荷取り構台１０の自重と搬入される資材の重量と作業者の重量の合計）を枠組足場２に作用させず、建物躯体に支持させることが望ましい。このことは枠組足場２等の計画を容易にすることに貢献する。そこで、本発明では、水平床部１２の自重およびここに積載する資材の荷重をスラブ６、４を介して躯体で支持させてある。荷重を躯体で支持するため、荷取り構台１０は、枠組足場２のブレース２ａおよび床付布枠２ｂを外すことで自在な位置に容易に設置可能である。
【００２８】
次に、本実施例１に係る荷取り構台の移設方法について図３を参照して説明する。
この移設方法は、外部のレッカー装置（揚重機）を利用して荷取り構台１０を上下階に移設する方法である。図３に示すように、水平床部１２にワイヤ２８で玉掛けをし、ワイヤ１４を緩め、パイプサポート１６を撤去して、水平床部１２を図示しないレッカー装置で吊り上げて上階または下階に盛替える。水平床部１２は軽量かつコンパクトなので、レッカー装置で容易に盛替えることができる。
【００２９】
このように、本実施例１によれば、荷取り構台１０の幅は枠組足場２に挿入できる程度のコンパクトな寸法であり、かつ、積載を含む総重量は躯体で支持されるため、枠組足場計画時に、荷取り構台１０の設置位置についてまで詳細に決定する必要はない。従って、計画立案の容易化とフレキシビリティー向上とを図ることができる。
【００３０】
また、水平床部１２は、平面骨組みからなり軽量化が可能なため、ウインチ等の簡易な揚重機による盛替えが可能である。さらに、荷取り構台１０の設置、盛替えに必ずしも鳶工の手が必要ではない。このため、仕上工、設備工らによる構台の設置、盛替え作業が可能となり、労務省力化に貢献し、コストダウンを図ることができる。
【００３１】
［実施例２］
次に、本発明の実施例２について説明する。
図４に示すように、本発明の実施例２に係る荷取り構台１００は、上記の実施例１で説明した荷取り構台１０の構成に加え、水平床部１２を枠組足場２に回転可能に固定する構台回転用治具３０を設けたものである。水平床部１２は、この構台回転用治具３０を支点として、水平床部１２の一辺側１２ａを上方に、他辺側１２ｂを下方に回転変位可能である。なお、パイプサポート１６は取り除いてある。
【００３２】
構台回転用治具３０は、図５（ａ）の側面図および（ｂ）の正面断面図に示すように、溝型鋼３２と、溝型鋼３２の上フランジ外面に隅肉溶接されたコ字状の単管受け３４と、溝型鋼３２に溶接されたナット３６とからなる。
【００３３】
図６（ａ）の側面図および（ｂ）の正面断面図に示すように、構台回転用治具３０の溝型鋼３２は、水平床部１２の側縁を構成する骨組み部材４０に嵌合しており、ナット３６に通されたボルト３８で骨組み部材４０に固定される。ボルト３８を緩めることで、構台回転用治具３０は、骨組み部材４０に沿ってスライド移動可能である。
【００３４】
この構台回転用治具３０を枠組足場２に固定する場合には、図７に示すように、構台回転用治具３０を骨組み部材４０に沿ってスライド移動させる。そして、図８に示すように、枠組足場の建枠２ｃにクランプ２ｄで留めてある単管２ｅに、単管受け３４を嵌合させ、溝型鋼３２を骨組み部材４０にボルト３８で締め付け固定すればよい。
【００３５】
次に、本実施例２に係る荷取り構台の移設方法について図９〜図１１を参照して説明する。
この移設方法は、上階の足場内側に設置したウインチ（揚重機）を利用して荷取り構台１００を回転させながら足場内部に引込み、上下階に移設する方法である。
【００３６】
図９に示すように、構台回転用治具３０および単管２ｅを介して、水平床部１２の荷重を枠組足場２の建枠に一時的にあずけながら水平床部１２を回転する。この回転の際には、ワイヤ１４を緩める。そして、荷重が単管２ｅを通じ建枠に移ると同時に、上階の枠組足場２に取り付けたブラケットに支持されるウインチ（不図示）からのワイヤ４２に玉掛けをする。
【００３７】
続いて、図１０に示すように、ウインチでワイヤ４２を巻き取り、水平床部１２の荷重をこのワイヤ４２にあずけ、図１１に示すように、水平床部１２を上階または下階に盛替える。
【００３８】
なお、上階または下階にて水平床部１２を設置する際には、上記と逆の手順による。
例えば、上階に設置する場合には、水平床部１２を設置しようとする位置の建枠に単管２ｅをクランプ留めする。次いで、この単管２ｅに構台回転用治具３０を引っ掛け、水平床部１２の荷重を枠組足場２にあずける。上階からの支持ワイヤを水平床部１２の吊り孔部２６等に玉掛けをし、チェーンブロック等により、水平床部１２を水平まで引き上げる。続いて、水平床部１２の一辺側１２ａを躯体のスラブにあずけ、単管２ｅを撤去するとともに、水平床部１２の一辺側１２ａ上にパイプサポート１６を設置する。以上により、上階への水平床部１２の移設が完了する。
【００３９】
このように、本実施例２によれば、荷取り構台１００の幅は枠組足場２に挿入できる程度のコンパクトな寸法であり、かつ、積載を含む総重量は躯体で支持されるため、枠組足場計画時に、荷取り構台１００の設置位置についてまで詳細に決定する必要はない。従って、計画立案の容易化とフレキシビリティー向上とを図ることができる。
【００４０】
また、水平床部１２は、平面骨組みからなり軽量化が可能なため、ウインチ等の簡易な揚重機による盛替えが可能である。さらに、荷取り構台１００の設置、盛替えに必ずしも鳶工の手が必要ではない。このため、仕上工、設備工らによる構台の設置、盛替え作業が可能となり、労務省力化に貢献し、コストダウンを図ることができる。
【００４１】
以上説明したように、本発明に係る荷取り構台によれば、建物躯体に近接配置した足場を挿通して配置され、上下方向に移設可能な荷取り構台であって、一辺側が前記躯体下側に接続し、他辺側が前記躯体上側から延びる索条を介して片持ち式に支持された軽量の水平床部からなるので、軽量かつコンパクトでその移設は容易である。
【産業上の利用可能性】
【００４２】
以上のように、本発明に係る荷取り構台およびその移設方法は、建築設備工事に使用する枠組足場の荷取り構台に有用であり、特に、中小規模の内装設備工事に用いる枠組足場の荷取り構台に適している。
【符号の説明】
【００４３】
２  枠組足場
２ａ  ブレース
２ｂ  床付布枠
２ｃ  建枠
２ｄ  クランプ
２ｅ  単管
４  スラブ（躯体下側）
６  スラブ（躯体上側）
８  Ｈ型鋼
１０，１００  荷取り構台
１２  水平床部
１２ａ  一辺側
１２ｂ  他辺側
１４  ワイヤ（索条）
１６  パイプサポート（支持部材）
１８  足場板
２０  手摺
２２  アンカー
２４  アングル
２６  吊り孔部
２８  ワイヤ
３０  構台回転用治具
３２  溝型鋼
３４  単管受け
３６  ナット
３８  ボルト
４０  骨組み部材
４２  ワイヤ（別の索条）
【図１】
2011252318.tif 000003
【図２】
2011252318.tif 000004
【図３】
2011252318.tif 000005
【図４】
2011252318.tif 000006
【図５】
2011252318.tif 000007
【図６】
2011252318.tif 000008
【図７】
2011252318.tif 000009
【図８】
2011252318.tif 000010
【図９】
2011252318.tif 000011
【図１０】
2011252318.tif 000012
【図１１】
2011252318.tif 000013